【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
無線局であって、
無線端末に、取得した位置情報をMDT（Minimization of Drive Test）のために提供するよう指示を行う手段と、
前記無線端末から、前記位置情報と共に、前記無線端末で測定した無線品質情報をMDTの報告として取得する手段と、
前記無線端末との間のスループットの測定を行う手段と、
前記スループットの測定の結果と、前記スループットの測定の対象としたＱｏＳの情報と、前記無線端末から取得した前記位置情報と、前記無線品質情報とを、MDTの報告として情報収集装置へ送る手段と
を有する無線局。
【請求項２】
前記位置情報は、GNSS(Global Navigation Satellite  System）で取得されるものである請求項１に記載の無線局。
【請求項３】
前記無線局は、基地局またはRNC(Radio Network Controller)のいずれかであり、前記情報収集装置はTCE（Trace Collection Entity）である請求項１又は請求項２に記載の無線局。
【請求項４】
前記スループットは、少なくとも前記無線端末から前記無線局への上りのスループット及び前記無線局から前記無線端末への下りのスループットの一方である請求項１から請求項３のいずれかに記載の無線局。
【請求項５】
無線端末であって
自無線端末との間のスループットの測定を行う無線局から、取得した位置情報をMDT（Minimization of Drive Test）のために提供するよう指示を受ける手段と、
無線品質の測定を行う手段と、
位置情報を取得する手段と、
前記自無線端末と前記無線局との間のスループットの測定結果と関連付けさせるために、前記位置情報と共に、前記無線品質の測定結果をMDTの報告として、前記無線局に送る手段と
を有する無線端末。
【請求項６】
前記位置情報は、GNSS(Global Navigation Satellite  System）で取得されるものであることを特徴とする請求項５に記載の無線端末。
【請求項７】
前記無線局は、基地局またはRNC(Radio Network Controller)のいずれかであることを特徴とする請求項５又は請求項６に記載の無線端末。
【請求項８】
前記スループットは、少なくとも前記無線端末から前記無線局への上りのスループット及び前記無線局から前記無線端末への下りのスループットの一方であることを特徴とする、請求項５から請求項７のいずれかに記載の無線端末。
【請求項９】
無線局の無線通信方法であって、
無線端末に、取得した位置情報をMDT（Minimization of Drive Test）のために提供するよう指示を行い、
前記無線端末から、前記位置情報と共に、前記無線端末で測定した無線品質情報をMDTの報告として取得し、
前記無線端末との間のスループットの測定を行い、
前記スループットの測定の結果と、前記スループットの測定の対象としたＱｏＳの情報と、前記無線端末から取得した前記位置情報と、前記無線品質情報とを、MDTの報告として情報収集装置へ送る
無線局の無線通信方法。
【請求項１０】
前記位置情報は、GNSS(Global Navigation Satellite  System）で取得されるものであることを特徴とする請求項９に記載の無線局の無線通信方法。
【請求項１１】
前記無線局は、基地局またはRNC(Radio Network Controller)のいずれかであり、前記情報収集装置はTCE（Trace Collection Entity）であることを特徴とする請求項９又は請求項１０に記載の無線局の無線通信方法。
【請求項１２】
前記スループットは、少なくとも前記無線端末から前記無線局への上りのスループット及び前記無線局から前記無線端末への下りのスループットの一方であることを特徴とする請求項９から請求項１１のいずれかに記載の無線局の無線通信方法。
【請求項１３】
無線端末の無線通信方法であって
自無線端末との間のスループットの測定を行う無線局から、取得した位置情報をMDT（Minimization of Drive Test）のために提供するよう指示を受け、
無線品質の測定を行い、
位置情報を取得し、
前記自無線端末と前記無線局との間のスループットの測定結果と関連付けさせるために、前記位置情報と共に、前記無線品質の測定結果をMDTの報告として、前記無線局に送る
無線端末の無線通信方法。
【請求項１４】
前記位置情報は、GNSS(Global Navigation Satellite  System）で取得されるものであることを特徴とする請求項１３に記載の無線端末の無線通信方法。
【請求項１５】
前記無線局は、基地局またはRNC(Radio Network Controller)のいずれかであることを特徴とする請求項１３又は請求項１４に記載の無線端末の無線通信方法。
【請求項１６】
前記スループットは、少なくとも前記無線端末から前記無線局への上りのスループット及び前記無線局から前記無線端末への下りのスループットの一方であることを特徴とする、請求項１３から請求項１５のいずれかに記載の無線端末の無線通信方法。
【請求項１７】
コンピュータを含む無線局のプログラムであって、
無線端末に、取得した位置情報をMDT（Minimization of Drive Test）のために提供するよう指示を行う処理と、
前記無線端末から、前記位置情報と共に、前記無線端末で測定した無線品質情報をMDTの報告として取得する処理と、
前記無線端末との間のスループットの測定を行う処理と、
前記スループットの測定の結果と、前記スループットの測定の対象としたＱｏＳの情報と、前記無線端末から取得した前記位置情報と、前記無線品質情報とを、MDTの報告として情報収集装置へ送る処理と
を前記コンピュータに実行させるプログラム。
【請求項１８】
前記位置情報は、GNSS(Global Navigation Satellite  System）で取得されるものである請求項１に記載のプログラム。
【請求項１９】
コンピュータを含む無線端末のプログラムであって
自無線端末との間のスループットの測定を行う無線局から、取得した位置情報をMDT（Minimization of Drive Test）のために提供するよう指示を受ける処理と、
無線品質の測定を行う処理と、
位置情報を取得する処理と、
前記自無線端末と前記無線局との間のスループットの測定結果と関連付けさせるために、前記位置情報と共に、前記無線品質の測定結果をMDTの報告として、前記無線局に送る処理と
を前記コンピュータに実行させるプログラム。
【請求項２０】
前記位置情報は、GNSS(Global Navigation Satellite  System）で取得されるものであることを特徴とする請求項１９に記載のプログラム。
【請求項２１】
無線局と無線端末とを有する無線通信システムであって、
前記無線局は、
前記無線端末に、取得した位置情報をMDT（Minimization of Drive Test）のために提供するよう指示を行う手段と、
前記無線端末から、前記位置情報と共に、前記無線端末で測定した無線品質情報をMDTの報告として取得する手段と、
前記無線端末との間のスループットの測定を行う手段と、
前記スループットの測定の結果と、前記スループットの測定の対象としたＱｏＳの情報と、前記無線端末から取得した前記位置情報と、前記無線品質情報とを、MDTの報告として情報収集装置へ送る手段と
を有し、
前記無線端末は、
前記無線局から、前記指示を受ける手段と、
無線品質の測定を行う手段と、
位置情報を取得する手段と、
前記自無線端末と前記無線局との間のスループットの測定結果と関連付けさせるために、前記位置情報と共に、前記無線品質の測定結果をMDTの報告として、前記無線局に送る手段と
を有する
無線通信システム。
【請求項２２】
前記位置情報は、GNSS(Global Navigation Satellite  System）で取得されるものである請求項２１に記載の無線通信システム。